(57)【要約】      （修正有）【課題】収容装置をシャンク部から容易に引き出すことができるドライバーハンドルを提供する。【解決手段】主にシャンク部と収容装置と連稈とを含む。前記収容装置は収容部と制御部とを含み、収容部は摺動自在にて、シャンク部の第１端に配置され、制御部は収容部に枢設して、第１受入区間の開口部に配置することによって、制御部を掴み込み、収容装置をシャンク部より引き出すことができる。制御部が初期位置に設定されたとき、制御部はシャンク部の第１端と収容部が同時に係合されて、収容装置とシャンク部との分離を防止する。制御部が収容部に対して旋転すると、制御部はシャンク部の第１端と収容部との係合が解除される。連稈はシャンク部の第２端に結合し、収容部は連稈に使用されるツールビットを収容する。【選択図】図５
0003157034.tif 000002
【実用新案登録請求の範囲】
【請求項１】
第１端と第２端とを有し、前記第１端は第１受入区間を有し、前記第１受入区間は、前記第１端の端部に連絡するシャンク部と、
収容部と制御部とを含み、前記収容部は摺動自在にて、前記シャンク部の前記第１端に収容され、前記制御部は前記収容部に枢設し第１受入区間の開口部に配置することによって、前記制御部を掴み込み、前記シャンク部より引き出すことのできる収容装置と、
初期位置に設定されたときは、前記シャンク部の前記第１端と、前記収容部が同時に係合され、前記収容装置と前記シャンク部との分離を防止する制御部と、
前記シャンク部の前記第２端に結合する連稈と、からなり、
前記制御部を前記収容装置に対して旋転させるとき、前記制御部は前記シャンク部の前記第１端と前記収容部と係合しなくなり、前記収容部を前記シャンク部の第１端より引き出すことができ、前記収容部に前記連稈使用のツールビットを収容することを特徴とする、ドライバーハンドル。
【請求項２】
前記収容部は、第１段と、第２段とを有し、前記第１段は前記制御部に枢設し、前記第２段は前記シャンク部の第１端にあてがうことができ、前記収容部を第１段と第２段との間に形成して摺動自在に前記シャンク部に収容され、ツールビットを収容し、
前記第１端と前記第２端には、第１係合フックと第２係合フックとをそれぞれ設け、
前記第１受入区間は、第１係合部を含み、第１受入区間の内周部の上端部に取付け、
前記収容部は収容溝と、前記収容溝の下部に形成される第２係合部を含み、
制御部が初期位置に設定されたときは、第１と第２係合フックは第１と第２係合部にそれぞれ係合し、前記シャンク部の第１端はさらに第２受入区間が内設され、第２受入区間とシャンク部との間に取付け、前記収容装置が前記シャンク部によって完全に収容されたとき、前記収容部の第１段と第２段はそれぞれ第１受入区間と第２受入区間に収容され、
２つの第１側壁を有する取付部を備え、２つの前記第１側壁には、滑りレールをそれぞれ設け、前記第２受入区間に備える２つの第２側壁にそれぞれ滑り溝を設け、前記収容部は前記滑りレールを介して、前記滑り溝と組み合わせる構造を形成し、この構造は、第２受入区間に対して摺動することが可能であり、前記第２受入区間が摺動するときに、前記制御部は弓状のシート状を形成し、
前記制御部と前記収容部とを組み合わせると、前記シャンク部の第１端を完全に収容でき、かつ前記第１端の外周部は表面に突き出すことなく滑らかさが維持され、
前記収容部は縦方向に複数の六角形の取付溝を形成し、
前記収容装置はさらに弾性部を含み、前記弾性部は前記収容部と前記シャンク部に備える第１端の底部との間に設けられ、
前記シャンク部の第１端はさらに第３受入区間を有し、前記第２受入区間は前記第１受入区間と前記第３受入区間との間に取付けられ、前記第３受入区間は前記弾性部に取り付けられることを特徴とする、請求項１記載のドライバーハンドル。
【請求項３】
前記第１段はおおむね半円形を形成し、制御部が初期位置に設定されたときは、前記第１段は前記第１受入区間の外形に呼応し、前記第１段は２つの第３側壁を含み、２つの前記第３側壁同士に収容溝が間ではさまれ、前記制御部の２つの第１側壁より、２つの接続部が延設され、２つの前記接続部を第１端と第２端との間に取付け、かつ互いに間隔を置き、２つの接続部を２つの第３側壁にそれぞれ接続し、２つの前記接続部にそれぞれ第１接続孔を形成し、かつ前記第３側壁に第２接続孔が設けられ、前記第３側壁の前記第２接続孔は、前記接続部の前記第１接続孔に呼応し、ピンを前記第３側壁の第２接続孔と前記接続部の第１接続孔とにくぐらすことによって、前記制御部は前記収容部に対して旋転できることを特徴とする、請求項２記載のドライバーハンドル。
【考案の詳細な説明】
【技術分野】
【０００１】
本考案は主に一種のドライバーハンドルに係り、特に一種のツールビットをシャンク部内部に収容可能なドライバーに関する。
【背景技術】
【０００２】
台湾特許証書Ｍ２７３４２６号、ツールビットを収容するドライバーハンドルの構造によれば、主にシャンク部に内設する収容部と、前記収容部に内設するツールビットを固定するための凹み孔と、制動部を収容する凹み溝を有する固定ブロックと、シャンク部に摺動蓋を摺動するための摺動部からなり、ツールビットの収容効果を実現する。
【先行技術文献】
【特許文献】
【０００３】
【特許文献１】台湾特許第Ｍ２７３４２６号
【考案の概要】
【考案が解決しようとする課題】
【０００４】
しかしながら、収容部からツールビットを取り出すときには、まず滑り蓋をシャンク部から滑り出して、シャンク部の収容部を露出させることによって、利用者はツールビットを取り出すことができる。この構造では、ツールビットを簡単に取り出せない。また、使用者がシャンク部よりドライバービットを取り出すときに、シャンク部を把持することができないという問題がある。よって、至急に解決の必要がある。
【０００５】
連稈に接続されるツールビットをシャンク部に内設しておき、空間を効率的に利用し、かつドライバーハンドルが形態便利なドライバーハンドルを提供することが本考案の主な目的である。
【０００６】
収容装置に滑りレールを含み、利用者は収容装置をシャンク部から容易に引き出すことができる、ドライバーハンドルを提供することが本考案の次の目的である。
【０００７】
シャンク部の第１端の収容装置をシャンク部に収容し、使用者が収容装置をシャンク部から引き出しても、シャンク部を容易に把持できる、ドライバーハンドルを提供することが本考案のもう一つの目的である。
【課題を解決するための手段】
【０００８】
本考案に係るドライバーハンドルは主に、シャンク部と、シャンク部の第１端に収容される収容装置と、シャンク部の第２端に結合して差込み穴となる連稈とを含み、収容装置は制御部と、ツールビット収容部と、弾性部とを含む。制御部を収容部の第１段に枢設し、収容部は選択により弾性部を押し込み、制御部は第１と第２係合フックとを設けることによって、制御部をシャンク部に係合して置き、収容装置とシャンク部との分離を防止する。
【図面の簡単な説明】
【０００９】
【図１】本考案に係るドライバーハンドルの立体外観図である。
【図２】本考案に係るドライバーハンドルのシャンク部と収容装置の分解図である。
【図３】本考案に係るドライバーハンドルの立体分解図である。
【図４】本考案に係るドライバーハンドルのもう一つの視角の立体分解図である。
【図５】本考案に係る図１に示す５−５断面線に沿った断面図である。
【図６】本考案に係る図５の詳細拡大図である。
【図７】本考案に係る図６に引き続き、制御部を押し込むことによる、第１及び第２係合フックを第１係合部及び第２係合部との分離を示す図である。
【図８】本考案に係る図７に引き続き、弾性部材によって、収容装置を外部に押し出す状態を示す図である。
【図９】本考案に係る図８に引き続き、制御部を掴み、収容装置が把持部から滑り出す状態を示す図である。
【図１０】本考案に係るドライバーハンドルのもう一つの実施例の断面図である。
【考案を実施するための形態】
【００１０】
図１ないし図９、本考案に係るドライバーハンドルの実施例１を参照する。ハンドル１００はシャンク部１０、収容装置２０と連稈３０とを含む。そのうち、シャンク部１０は第１端１１と第２端１２とを含み、収容装置２０を摺動自在にシャンク部１０の第１端１１に設ける。シャンク部１０は収容装置２０と反対する第２端１２に結合し、差込み穴を形成する。連稈３０はシャンク部１０の反対端に、差込み端３１を設け、差込み端３１は差込み穴３１１を有し、差込み穴３１１はツールビット４０の結合に備える。
【００１１】
本実施例において、シャンク部１０は略ひょうたん型を形成し、かつ第１端１１の断面積は第２端１２の断面積より大きく設ける。収容装置２０は摺動自在に取り出し、シャンク部１０の第１端１１に収容することができる。シャンク部１０の第１端１１は第１受入区間１１１、第２受入区間１１２と、と第３受入区間１１３を内部に形成し、第１受入区間１１１はシャンク部１０の外面に開口部を形成し、収容装置２０を第１受入区間１１１からシャンク部１０に差し込むことができる。
【００１２】
第２受入区間１１２は第１受入区間１１１と第３受入区間１１３との間に取り付ける。第２受入区間１１２は第１受入区間１１１の近接端に開放状を形成し、第２受入区間１１２が第３受入区間１１３に近接する他端は密閉状を形成する。第３受入区間１１３は軸方向に凹み溝を形成し、かつ第２受入区間１１２の中心部に連絡する。シャンク部１０の第２端１２を連稈３０に固着する。さらに、第２受入区間１１２と第３受入区間１１３ともシャンク部１０の第１端１１によって、隠される。
【００１３】
第１受入区間１１１はおおむね半円形を形成し、第１係合部１１１１と第１係止部１１１２とを含み、第１係止部１１１２は内部の上端部と下部の縁部に設ける。
【００１４】
第２受入区間１１２は矩形を形成し、それぞれ両側壁に形成する滑り溝１１２１と、第２係止部１１２２とを含む。第２係止部１１２２を第１受入区間１１１の反対端に取り付ける。
【００１５】
収容装置２０は制御部２１、収容部２２と弾性部２３とを含む。弾性部２３を第３受入区間１１３に設け、収容部２２は摺動自在にて、第２受入区間１１２に収容され、弾性部２３にあてがう。
【００１６】
制御部２１を収容部２２に枢設し、制御部２１は第１端２１１と第２端２１２とを含む。制御部２１は弓状のシートであり、制御部２１と収容部２２とを組み合わせた後に、シャンク部１０の第１端１１に完全に収容でき、第１端１１の外周部は平状を維持し、表面に突き出していない。制御部２１の第１端２１１と第２端２１２には、それぞれ第１係合フック２１１１と第２係合フック２１２１を設ける。
【００１７】
収容部２２は第１段２２１と第２段２２２とを有し、第１段２２１は制御部２１に連結し、かつ移動自在にて、第１受入区間１１１に取付け、第２段２２２は制御部２１の反対端に設け、第２段２２２はさらに当接部２２２１と、Ｃ字型の制限部２２２２を有し、収容装置２０をシャンク部１０の第１端１１によって完全に収容した後に、当接部２２２１が第２係止部１１２２に係止し、弾性部２３を押し込む。制限部２２２２は、弾性部２３とツールビット４０による干渉を避けるため、接合部２１３の上端部より伸ばす。
【００１８】
第１段２２１はおおむね半円形を形成し、かつ第１受入区間１１１の外径に呼応し、第１段２２１は２つの半円形の側壁２２１１と、一つの底壁２２１４とを含み、かつ２つの側壁２２１１の間に収容溝２２１２を形成し、底壁２２１４を第１係止部１１１２にあてがう。収容溝２２１２と取付部２２３との間に境界部２２１６を設け、境界部２２１６の上端部を側壁２２１１の上端部より低く設ける。収容溝２２１２の底部に第２係合部２２１５を形成し、制御部２１に近接する。制御部２１の両側面に２つの接合部２１３を延設し、２つの延設部２１３は第１端２１１と第２端２１２との間に、間隔を置いて取り付ける。２つの接合部２１３はそれぞれ２つの側壁２２１１に連結する。２つの接合部２１３に接続孔２１３１をそれぞれ形成し、側壁２２１１も接続孔２２１３を設ける。側壁２２１１の接続孔２２１３は、接合部２１３の接続孔２１３１に呼応する。ピン２１４は側壁２２１１の接続孔２２１３と接合部２１３の接続孔２１３１をくぐらすことによって、制御部２１を収容部２２に対して回動できる。
【００１９】
さらに、制御部２１が初期位置に設定されたときは、制御部２１の外形を収容溝２２１２に収容し、かつ第１と第２係合フック２１１１、２１２１はそれぞれ第１と第２係合部１１１１、２２１５に係合し、制御部２１と収容部２２、及び収容装置２０とシャンク部１０の第１端１１との分離を防止する。
【００２０】
収容部２２の第１段２２１と第２段２２２との間に、取付部２２３を設け、取付部２２３は縦方向に六角形の取付溝２２３１を形成し、ツールビット４０の収容に備える。取付部２２３両側の側壁は、それぞれ滑りレール２２３２を設け、２つの滑りレール２２３２は２つの滑り溝１１２１にそれぞれ対応することによって、収容部２２は滑りレール２２３２と滑り溝１１２１の釣り合い構造によって、第２受入区間１１２が滑り移動できる。
【００２１】
図７ないし図９を参照する。使用者が収容装置内部のツールビットを取り出すときを示す図である。まず、図７に示すように、使用者によって、制御部２１の第１端２１１を収容部２２に対して推し進める。引き続き、制御部２１がピン２１４に対して旋転することによって、第１と第２係合フック２１１１、２１２１と、第１と第２係合部１１１１、２２１５とを分離させる。同時に、弾性部２３によって、収容部２２を外側にあてがうと同時に、収容部２２は滑りレール２２３２と滑り溝１１２１の構造を介して、第２受入区間１１２に沿って滑り出す。制御部２１は収容部２２に対して制御部２１の第１端２１１を旋転して、境界部２２１６にあてがう。使用者は制御部２１の第２端２１２を掴み、収容部２２をシャンク部１０の第１端１１より引き出すことができる（図９に示す）。これにより、ツールビット４０はシャンク部１０より露出して、使用に備える。
【００２２】
図１０、本考案に係るドライバーハンドルのもう一つの実施例を示す図を参照する。この実施例は前記実施例１とほぼ同じであるが、その違いはハンドル１００’から弾性部２３を取り除かれている点である。
【符号の説明】
【００２３】
１００      ハンドル
１００’    シャンク部
１０        シャンク部
１１        第１端
１１１      第１受入区間
１１１１    第１係合部
１１１２    第１係止部
１１２      第２受入区間
１１２１    滑り溝
１１２２    第２係止部
１１３      第３受入区間
１２        第２端
２０        収容装置
２１        制御部
２１１      第１端
２１１１    第１係合フック
２１２      第２端
２１２１    第２係合フック
２１３      接合部
２１３１    接続孔
２１４      ピン
２２        収容部
２２１      第１段
２２１１    側壁
２２１２    収容溝
２２１３    接続孔
２２１４    底壁
２２１５    第２係合部
２２１６    境界部
２２２      第２段
２２２１    当接部
２２２２    制限部
２２３      取付部
２２３１    取付溝
２２３２    滑りレール
２３        弾性部
３０        連稈
３１        差込み端
３１１      差込み穴
４０        ツールビット(又は工具ヘッド部)
【図１】
0003157034.tif 000003
【図２】
0003157034.tif 000004
【図３】
0003157034.tif 000005
【図４】
0003157034.tif 000006
【図５】
0003157034.tif 000007
【図６】
0003157034.tif 000008
【図７】
0003157034.tif 000009
【図８】
0003157034.tif 000010
【図９】
0003157034.tif 000011
【図１０】
0003157034.tif 000012